(57)【要約】      （修正有）【課題】如何なる種類のホイールをも特にスポークホイールを効果的に清掃することができるブラシ構造体を作製すること。【解決手段】自動車両洗浄システム用ブラシ構造体が、複数の剛毛（３）を支持し、剛毛のそれぞれが、プレート（２）に固定されている基端部（３１）と自由端部（３２）とを有するベースプレート（２）を備え、ベースプレート（２）が、中心軸の回りにベースプレート（２）を回転させることに適した回転構造体に脱着可能に固定されることに適しており、剛毛（３）が、径方向内側および径方向外側の両方に、ベースプレート（２）の回転方向に対して、非径方向において時計回りおよび反時計回りの方向の両方に又は上記方向と異なる他の方向に、異なる傾斜を有して、ベースプレート（２）に固定され、剛毛（３）が、相互に収束傾斜方向及び／又は発散傾斜方向を有して配置されている。【選択図】図１
2018008686.tif 000002
【特許請求の範囲】
【請求項１】
自動車両洗浄システム用ブラシ構造体であって、
複数の剛毛（３）を支持するベースプレート（２）であって、前記剛毛のそれぞれが、前記プレート（２）に固定されている基端部（３１）と自由端部（３２）とを有するベースプレート
を備え、
前記ベースプレート（２）が、中心軸の回りに前記ベースプレート（２）を回転させることに適した回転式構造物に脱着可能に固定されることに適しており、
前記剛毛（３）が、径方向内側および径方向外側の両方に、前記ベースプレート（２）の回転方向に対して、非径方向において時計回り若しくは反時計回りの方向のいずれかに若しくは両方に、又は前記方向と異なる他の方向に従って、異なる傾斜を有して、前記ベースプレート（２）に固定され、
前記剛毛（３）が、相互に収束傾斜方向及び／又は発散傾斜方向を有して配置されている、
ブラシ構造体。
【請求項２】
各剛毛（３）の傾斜度合い、即ち、前記プレートベース（２）と共に前記剛毛（３）によって形成される角度が可変である、請求項１に記載のブラシ構造体。
【請求項３】
前記剛毛（３）が、互いから一定の間隔で配置されて、使用時に湾曲されるときに前記剛毛間の相互作用を低減させるように、前記プレート（２）に固定されている、請求項１に記載のブラシ構造体。
【請求項４】
前記剛毛（３）が、空き区域によって分離されたセット（４、５、６、７）において前記プレート（２）に固定され、これにより、異なる傾斜を有する剛毛のセット間の間隔を維持して、使用時に湾曲されるときに前記剛毛間の相互作用を低減させる、請求項１に記載のブラシ構造体。
【請求項５】
前記剛毛（３）が、異なる高さを有する、請求項１に記載のブラシ構造体。
【請求項６】
剛毛の前記セットが、前記剛毛（３）が前記プレート（２）に対してまっすぐな即ち垂直方向である少なくとも第１のセットを備える、請求項１から５の１つ又は複数の請求項に記載のブラシ構造体。
【請求項７】
剛毛の前記セットが、前記剛毛（３）が前記プレート（２）に対して反時計回りの方向に僅かに傾斜されている少なくとも第２のセットを備える、請求項１から６の１つ又は複数の請求項に記載のブラシ構造体。
【請求項８】
剛毛の前記セットが、前記剛毛（３）が前記プレート（２）に対して時計回りの方向に僅かに傾斜されている少なくとも第３のセットを備える、請求項１から７の１つ又は複数の請求項に記載のブラシ構造体。
【請求項９】
剛毛の前記セットが、前記剛毛（３）が前記プレート（２）に対して反時計回りの方向により大きな傾斜を有する少なくとも第４のセットを備える、請求項１から８の１つ又は複数の請求項に記載のブラシ構造体。
【請求項１０】
剛毛の前記セットが、前記剛毛（３）が前記プレート（２）に対して時計回りの方向により大きな傾斜を有する少なくとも第５のセットを備える、請求項１から９の１つ又は複数の請求項に記載のブラシ構造体。
【請求項１１】
剛毛の前記セットが、異なる高さ、異なる傾斜並びに異なる傾斜方向である発散傾斜方向及び／若しくは収束傾斜方向のいずれかの異なる剛毛のセットを備える、請求項１から１０の１つ又は複数の請求項に記載のブラシ構造体。
【請求項１２】
前記ベースプレート（２）が、高圧水噴射及び高圧洗剤噴射の流れ孔部（８）又は凹部（９）を有する、請求項１から１１の１つ又は複数の請求項に記載のブラシ構造体。
【請求項１３】
前記剛毛（３）が、洗浄作業又は乾燥作業を行うことに適した異なる材料からなる剛毛のセットを有する、請求項１に記載のブラシ構造体。
【請求項１４】
前記剛毛（３）が、ＰＥ、ＰＰ、ＰＡ又はこれらの適用に適すると考えられる他のプラスチックポリマーからなる、請求項１に記載のブラシ構造体。
【請求項１５】
前記剛毛（３）が、独立気泡材料又は非独立気泡材料のストリップ、フェルト、布地、超極細繊維又は結合材料ストリップから構成される、請求項１に記載のブラシ構造体。
【発明の詳細な説明】
【技術分野】
【０００１】
本発明の対象は、自動車両洗浄システム用ブラシ構造体である。
【背景技術】
【０００２】
周知のように、車の洗浄は、車両の各種部品の清掃に適した、様々な形状及び寸法の一連の回転ブラシを備える。
【０００３】
ホイールを清掃するために、円形状のベースを有するブラシであって、水平方向の軸に従って回転し、車両の各ホイールまで届くブラシが設けられる。
【０００４】
現在使用されているリム用のブラシは、中心軸の回りに回転させるベースプレートに軸方向に配置されている剛毛から構成される。
【０００５】
剛毛は、標準的な寸法を有し、現存する自動車両洗浄システムに嵌め込まれるベースプレートの周縁に対して、作用表面を増大させるように、ブラシに接頭円錐形を与えるように径方向外側に傾斜させることができる。
【０００６】
図１１は、従来の種類のブラシを備える標準的な設置の一例を示す。
【０００７】
ブラシは、高圧水噴射と共に作用して、ホイールを清掃及び洗滌する。
【０００８】
複雑で費用がかかるが、ディスクをベースプレートから独立して回転させることを可能にする移動機構によってベースプレートに嵌め込まれ、寸法が低減した一連のディスクから構成される特別なブラシが周知である。
【０００９】
近年、自動車両が、自動回転ブラシによる清掃が困難で不完全なスポークホイールを備えていることが非常に頻繁にある。
【００１０】
実際、現在使用されているブラシの剛毛は、ホイールのスポークの側部に効果的に到達することができず、車両の完璧な洗浄が望まれる場合、手作業で各スポークを清掃することが必要である。
【００１１】
また、多数のディスクを有するブラシは、スポークホイールを清掃するのに完全に効果的なものではなく、全ての場合において、多数のディスクを有するブラシを用いることによって莫大なコストがかかるが、そのコストは、達成される結果に見合うものではない。
【発明の概要】
【００１２】
本発明の課題は、ブラシ構造体であって、自動車両のホイールを洗浄するように特に設計されており、如何なる種類のホイールをも特にスポークホイールを効果的に清掃することができるブラシ構造体を作製することにある。
【００１３】
この課題の文脈において、本発明の一目的は、現存するシステムに嵌め込むことができるブラシ構造体を作製することにある。
【００１４】
別の目的は、効果的且つ完全な清掃と共に、水及び化学洗剤の消費を低減可能にするブラシ構造体を作製することにある。
【００１５】
本発明の更なる目的は、簡単に市場から入手可能な要素及び材料を用いて生産することができ、且つ、経済的な観点から更なる競争力のある構造体を提供することにある。
【００１６】
本構造体は、特定の製造の特徴によって、信頼性が高く且つ安全な使用を最大に保証することを確実にすることができる。
【００１７】
以下に詳細に記載するが、この目的及び他の目的は、自動車両洗浄システム用ブラシ構造体であって、複数の剛毛を支持するベースプレートであって、剛毛のそれぞれが、プレートに固定されている基端部と自由端部とを有するベースプレートを備え、ベースプレートが、中心軸の回りにベースプレートを回転させることに適した回転構造体に脱着可能に固定されることに適しており、剛毛が、径方向内側および径方向外側の両方に、ベースプレートの回転方向に対して、非径方向において時計回り若しくは反時計回りの方向のいずれかに若しくは両方に、又は上記方向と異なる他の方向に、異なる傾斜を有して、ベースプレートに固定され、剛毛が、相互に収束傾斜方向及び／又は発散傾斜方向を有して配置されている、ブラシ構造体によって達成される。
【図面の簡単な説明】
【００１８】
本発明の対象の更なる特徴及び長所は、添付の図面において指示的な且つ非限定的な例によって示される、本発明の好ましいが排他的ではない実施形態の詳細な説明を考察することによってより明らかとなろう。
【図１】本発明に係るブラシ構造体の斜視図である。
【図２】本発明の対象であるブラシ構造体の別の斜視図である。
【図３】清掃動作が従来のブラシによって行われる間のスポークホイールの内側部分の一部が示される斜視図である。
【図４】図３と同様の斜視図であるが、清掃動作が本発明に係るブラシによって行われる間のスポークホイールの内側部分が示される斜視図である。
【図５】本発明に係るブラシのベースプレートの平面図である。
【図６】本発明の更なる態様に係るブラシのベースプレートの平面図である。
【図７】本発明の更なる態様に係るブラシのベースプレートの平面図である。
【図８】本発明の更なる態様に係るブラシのベースプレートの平面図である。
【図９】本発明の更なる態様に係るブラシのベースプレートの平面図である。
【図１０】本発明の更なる態様に係るブラシのベースプレートの平面図である。
【図１１】支持体に嵌め込まれており、使用位置における従来の種類のブラシが示されている斜視図である。
【発明を実施するための形態】
【００１９】
特に図面の符号を参照すれば、本発明に係る自動車両洗浄システム用ブラシ構造体が符号１によって全体的に示されており、このブラシ構造体はベースプレート２を備え、このベースプレートは複数の剛毛３を支持し、剛毛のそれぞれはプレート２に固定されている基端部３１と自由端部３２とを有する。有利なことに、ベースプレート２は、少なくとも部分的に（又は完全に）、プラスチック又は金属材料からなる。
【００２０】
ベースプレート２は、中心軸の回りにプレート２を回転させることに適した回転構造体（図示せず）に、脱着可能に固定されることに適している。
【００２１】
本発明によれば、剛毛３は、径方向内側および径方向外側の両方に、ディスクの回転方向に対して、非径方向において時計回りおよび反時計回り方向の両方に又は上記方向と異なる他の方向に、異なる傾斜を有して、プレート２に固定されている。
【００２２】
特に、剛毛は、相互に収束傾斜方向及び／又は発散傾斜方向を有して配置させることができる。
【００２３】
また、各剛毛の傾斜度合い、即ち、ベースプレート２と共に剛毛によって形成される角度は、可変である。
【００２４】
本発明の更に別の態様によれば、剛毛３は、異なる傾斜を有する剛毛のセット間の間隔を維持するように、空き区域によって分離されたセットにおいてプレートに固定されている。
【００２５】
換言すると、剛毛は、様々なセットに配置させることができ、各セットにおいて、剛毛は、同質な傾斜を有し、セット間で異なる傾斜を有する。
【００２６】
本発明の更に別の態様によれば、剛毛のセットは、異なる高さを有することができる。
【００２７】
図１、図２及び図５は、プレート２を備えるブラシ構造体を示す。このプレートには、剛毛３が、異なる傾斜を有する少なくとも５つのセットに従って配置されている。
【００２８】
或る剛毛が、第１のセットに配置されている。第１のセットにおいて、剛毛は、プレート２に対してまっすぐな即ち垂直方向である。
【００２９】
図５から図１０において、符号４は、プレート２に作製されており、第１のセットのまっすぐな剛毛が挿入及び固定される孔部を示す。
【００３０】
図５から図１０に、多数の異なる形態のうち、剛毛が採用することができ、プレート２を様々に穿孔して、異なる形態に従って剛毛を配置することができることを示すためにのみ用いられているもののみを示す。
【００３１】
例えば、或る剛毛は、第２のセットに配置されている。第２のセットにおいて、剛毛は、プレート２に対して反時計回りの方向に、僅かな傾斜を有する。
【００３２】
他の剛毛は、第３のセットに配置されている。第３のセットにおいて、剛毛は、プレート２に対して時計回りの方向に、僅かな傾斜を有する。
【００３３】
他の剛毛は、第４のセットに配置されている。第４のセットにおいて、剛毛は、プレート２に対して反時計回りの方向に、より大きな傾斜を有する。
【００３４】
他の剛毛は、第５のセットに配置されている。第５のセットにおいて、剛毛は、プレート２に対して時計回りの方向に、より大きな傾斜を有する。
【００３５】
更なる剛毛のセットであって、傾斜、方向及び高さが全て異なるセットを設けることができる。
【００３６】
例として示すにすぎないが、図５から図１０において、符号５は、プレート２に作製されており、時計回りの又は反時計回りの僅かな傾斜を有する剛毛用の孔部を示し、符号６は、プレート２に作製されており、より大きな反時計回りの傾斜を有する剛毛用の孔部を示し、符号７は、プレート２に作製されており、より大きな時計回りの傾斜を有する剛毛用の孔部を示す。
【００３７】
剛毛の傾斜は、例として、プレートに垂直方向のまっすぐな剛毛についての９０°からより大きな傾斜を有する剛毛についての約４０°まで可変である。
【００３８】
図１及び２に示すように、剛毛は、２種類から３種類の異なる高さを有し、異なる材料及び／又は色からなることができる。
【００３９】
ベースプレート２は、現存する洗浄システムに使用される高圧水噴射及び高圧洗剤噴射の流れ孔部８又は凹部９を更に有する。
【００４０】
図５から図１０は、剛毛のセットの異なる形態及び組み合わせに対して、異なる態様で穿孔されているベースプレート２を示す。
【００４１】
図面に示す実施形態は、異なる傾斜及び角度の剛毛のセットの多数の組み合わせのうちの幾つかを示し、当業者が要件に従って最も適切な組み合わせを選ぶことができる。
【００４２】
好都合なことに、ブラシ構造体１は、剛毛３の複数のセットを備える。このようなセットのうち少なくとも１つは、時計回りに傾斜させている剛毛３を有する（剛毛３が少なくとも１つの時計回りの成分を有する（１つの径方向の成分があったりなかったりし得る）向きと方向とに沿ってプレート２から延在することは理解されよう）。その上又は代替的に、このようなセットのうち少なくとも１つは、反時計回りに傾斜させている剛毛３を有する（剛毛３が少なくとも１つの反時計回りの成分を有する（１つの径方向の成分があったりなかったりし得る）向きと方向とに沿ってプレート２から延在することは理解されよう）。好ましくは、少なくとも１つのセットは、時計回りに傾斜させている剛毛３を有し、且つ、少なくとも１つのセットは、反時計回りの方向に傾斜させている剛毛３を有する。時計回り又は反時計回りの方向は、ブラシ構造体１の前にいて、正面（ひいては剛毛が延在するプレート２の面）から剛毛３を見る使用者を基準として決められている。
【００４３】
好都合なことに、少なくとも２つのセットは、時計回りに傾斜させている剛毛３から構成され、好ましくは、２つのセットのうちの一方は、他方のセットの剛毛３よりも大きな時計回りの傾斜を有する剛毛３を有する。好都合なことに、少なくとも２つのセットは、反時計回りに傾斜させている剛毛３からなり、好ましくは２つのセットのうちの一方は、他方のセットの剛毛３よりも大きな反時計回りの傾斜を有する剛毛３を有する。
【００４４】
好都合なことに、少なくとも１つの仮想周縁であって、プレート２の回転軸に対して同軸状に延在し、剛毛３の２つのセットが互いに対して続き（有利なことに、他の剛毛のセットの干渉無く互いに対して連続する）、これらのセットの剛毛３が異なる傾斜及び／又は異なる高さを有する仮想周縁が存在する。好都合なことに、少なくとも１つの周縁であって、プレート２の回転軸に対して同軸状に延在し、時計回りに傾斜されているが異なる傾斜を有する剛毛３を有する剛毛３の２つのセットが互いに対して続いている周縁が存在する（同様のことが反時計回りの方向を有する剛毛についてもいえる）。
【００４５】
好都合なことに、少なくとも１つの周縁であって、プレート２の回転軸に対して同軸状に延在し、時計回り及び／又は反時計回りの方向に傾斜されている剛毛３を有する剛毛３の２つのセットが互いに対して続いている周縁が存在する。
【００４６】
添付の図面に例示するように、有利なことに、剛毛３は、プレート２から離れるように延在し、有利なことに（好ましくはプレート２の回転軸に直交する）同じ平面にある同じ面から始まる。好都合なことに、プレート２に沿って、剛毛３をプレート２に接続する複数の孔部が得られる。これらの孔部は、プレート２内部において延在して剛毛３の一部を収納し、プレート２への固定を許容する。これらの孔部のうち少なくとも幾つかは、プレート２内部において、時計回り及び／又は反時計回りの方向に沿って突出する（次いで、対応する剛毛が、反時計回りの及び／又は時計回りの方向にそれぞれ延在することができる）。
【００４７】
その上、孔部は、プレート２の上記面に沿って径方向に分散され、及び／又は径方向により内部の位置から径方向により外部の位置まで延在する円弧を描く（例えば図５又は図１０参照）。
【００４８】
傾斜は、プレートから離れるように延在する剛毛３が、プレート２の平面と共に又はより全般的にはプレート２の回転軸に直交する仮想平面と共に形成する角度として規定することができる。この接続において、剛毛全体の主要な長手方向の広がりが考慮される（これは、回転する又は静止しているプレート２で行われる）。
【００４９】
今日のホイールワッシャのように、径方向外側だけでなく全ての方向に傾斜されており、様々な幾何学的形状を有するセットに配置されている剛毛の存在によれば、ブラシ構造体を、リムのスポーク間により入り込ませることが可能になる。
【００５０】
図３に、スポークホイールに対する従来のブラシの動作が概略的に示されており、ここで、剛毛がスポーク間に入り込ませることができないのは、前部剛毛が、回転方向において、スポークと接触するときに湾曲することによって、後部剛毛を移動させるので、スポーク１０の側部１１に到達することができないからであることは明確である。
【００５１】
実際に、従来のブラシを使えば、スポークの外面のみ剛毛に触れるが、一方、側部に完全に到達することはない。
【００５２】
他方、図４は、本発明に係るブラシ構造体の動作を示し、ここで、前部剛毛よりも高く、適切な傾斜を備える後部剛毛が、スポーク１０の側部１１に到達し、清掃するだけではなくリムの内側部分１２に触れることもできることは明確である。
【００５３】
様々な剛毛間又は様々な剛毛のセット間の空間を用いれば、剛毛を「取り出す」ことが可能になり、剛毛を傾斜させることが可能になり、前部の束が円形状に動く間に後部の束を湾曲させることによる洗浄力の減少が防止可能になる。
【００５４】
プレート２は、好ましくは、約５０から１０ｃｍの径を有する円形状であり、様々な形状及び形態に作製可能である。
【００５５】
プレート２は、中心の又はずれた位置において、ホイール清掃装置（図示せず）の機械的支持体に固定可能である。
【００５６】
剛毛は、ＰＥ、ＰＰ、ＰＡ又はこれらの適用に適すると考えられる他のプラスチックポリマーからなることができる。
【００５７】
剛毛は、更に、独立気泡材料又は非独立気泡材料のストリップ、フェルト、布地、超極細繊維又は結合材料から構成されることができる。
【００５８】
本発明に係るブラシ構造体は、吸収力及び／又は艶出し力を備えるフェルト、布地、超極細繊維又は結合材料等の乾燥に適した材料からなる剛毛を更に備えることができる。
【００５９】
実際に、本発明は、上述の課題及び目的を完全に達成する。
【００６０】
ブラシ構造体であって、到達することがより困難なリムの区域、とりわけ合金製リムのスポークの側部におけるより深く及びより効果的な洗浄を確実にする自動車両システムのホイール洗浄装置用に特に設計されるブラシ構造体が作製される。
【００６１】
本発明の対象であるブラシ構造体によれば、水及び化学洗剤の消費の低減が更に可能になる。
【００６２】
本ブラシ構造体の別の重要な長所は、改変すること無く及び費用のかかるアダプタの補助無く現在の機器に使用できる事実による。
【００６３】
必然的に、如何なる材料、寸法及び形態をも、要件に従って、用いることができる。
【図１】
2018008686.tif 000003
【図２】
2018008686.tif 000004
【図３】
2018008686.tif 000005
【図４】
2018008686.tif 000006
【図５】
2018008686.tif 000007
【図６】
2018008686.tif 000008
【図７】
2018008686.tif 000009
【図８】
2018008686.tif 000010
【図９】
2018008686.tif 000011
【図１０】
2018008686.tif 000012
【図１１】
2018008686.tif 000013
【外国語明細書】
2018008686000001.pdf